(57)【特許請求の範囲】
【請求項１】
少なくとも液透過性シート、液不透過性シート、及び該液透過性シートと該液不透過性シートとの間に挟まれた吸収体を有する吸収性物品であって、
該吸収体は、吸収層中央部と、該吸収層中央部に比べて低目付けで形成されている該吸収層中央部の周囲の吸収部とからなり、
該吸収性物品の肌当接面側には、圧搾条溝が、少なくとも幅方向左側及び幅方向右側の側縁に沿って、該吸収層中央部を囲むように設けられ、該圧搾条溝は、長手方向中心線付近に間欠部分を有し、
該圧搾条溝は肌非当接面側に突出部を形成し、
該吸収体の肌非当接面側には、幅方向左側及び幅方向右側の側縁に沿って設けられた各圧搾条溝の少なくとも一部の圧搾条溝の側部に、吸収体と液不透過性シートとの間で形成される肌当接面側に略凸状の空間部を有する、前記吸収性物品。
【請求項２】
前記間欠部分が長手方向後側に形成されている、請求項１に記載の吸収性物品。
【請求項３】
前記間欠部分が長手方向前側に更に形成されている、請求項２に記載の吸収性物品。
【請求項４】
前記空間部が、幅方向左側及び幅方向右側の側縁に沿って設けられた各圧搾条溝の少なくとも一部の圧搾条溝の両側部に形成されている、請求項１〜３のいずれか１項に記載の吸収性物品。
【請求項５】
前記空間部が、幅方向左側及び幅方向右側の側縁に沿って設けられた各圧搾条溝の両端部にまで形成されている、請求項１〜４のいずれか１項に記載の吸収性物品。
【発明の詳細な説明】
【技術分野】
【０００１】
本発明は、吸収性物品に関する。特に、吸収体の所定の位置に圧搾条溝、及び該圧搾条溝の側部に空間部が設けられた生理用ナプキン、失禁パッド等の吸収性物品に関する。
【背景技術】
【０００２】
体液漏れ防止を目的とした吸収性物品として、肌当接面に立体形状からなる突設部を形成させ、かつ該突設部の周囲を連続的に凹部で囲んだ吸収性物品が知られている（特許文献１）。
しかしながら、該吸収性物品では、突設部周囲は連続的に凹状の溝で囲まれ、該溝は表面シートと吸着層とを圧縮して形成されているため、溝部の密度が周囲よりも高くなり、剛性が高まることにより、身体の形状に沿って柔軟に変形しにくくなる。特に、排泄部の後方側に当たる突設部の後端部では、吸収体幅方向に向けて溝が連続するため、装着時に幅方向外側から力が加えられた時に、着用者の股間に向かって隆起しにくい。また、隆起する場合でも特にその場所を規定する構造になっていないため、着用者の股間形状に沿った場所ではない部分で隆起してしまう可能性があり、その結果、ヨレの発生を誘引する。更に、溝部がコア部の厚さ方向における略中央部からコア部の裏面までの間に配置されているため、着用者の大腿部から幅方向に圧縮力が加えられた場合に、溝からコア部へと伝わる力は、吸収体の厚さ方向における肌当接面側から肌当接面側等の様々な方向に拡散する。これにより、コア部が様々な方向に折れ曲がる恐れがあり、常に安定した変形状態を得ることができない。
【０００３】
また、幅方向の漏れ及び装着時における吸収層の面形状の不安定性を改善したものとして、溝部が複数個に分離した吸収性物品も報告されている（特許文献２）。しかし、この場合の溝部は、肌当接面側の吸収層にのみ設けられているため、吸収体が様々な方向に折れ曲がる可能性があり、常に安定した変形状態を得ることができない。
【０００４】
一方、肌当接面側の吸収層に加えて肌非当接面側の吸収層にも可撓軸を有する吸収性物品として、肌非当接面側から肌当接面側に向けて溝加工することにより、肌非当接面に凹部の立体溝を設けたものが報告されている（特許文献３）。該立体溝は、肌当接面側の立体溝に対応する肌非当接面側の位置の内側又は外側のいずれか一方のみに形成されている。しかし、吸収性物品は股間に装着された時に種々の装着形状をとるため、その装着形態によっては、特許文献３の吸収性物品では、常にフィット性に優れた所定の形状をとるのは困難である。
【０００５】
【特許文献１】特開平１１−３３０５４号公報
【特許文献２】特開２００７−１９５６６５号公報
【特許文献３】特開平１０−９９３７２号公報
【発明の開示】
【発明が解決しようとする課題】
【０００６】
従って、本発明は、ヨレの発生がなく、しかも吸収層中央部（コア部）が様々な方向に折れ曲がる恐れのない、常に安定した変形状態を得ることができる吸収性物品を提供することを目的とする。
【課題を解決するための手段】
【０００７】
本発明者らは、かかる実情に鑑み鋭意検討を行った結果、肌当接面側には吸収層中央部を囲むように圧搾条溝が設けられ、該圧搾条溝は特定の位置で分離され、かつ肌非当接面側には、少なくとも一部の圧搾条溝の側部に、吸収体と液不透過性シートとの間で略凸状の空間部が形成されることにより、吸収性物品の厚さ方向において肌非当接面又は肌非当接面よりも内側に形成される突出部が該空間部に入り込みやすくなる結果、上記課題を解決し得ることを見出し、本発明を完成させた。
【０００８】
すなわち、（１）本発明は、少なくとも液透過性シート、液不透過性シート、及び該液透過性シートと該液不透過性シートとの間に挟まれた吸収体を有する吸収性物品であって、
該吸収体は、吸収層中央部と、該吸収層中央部に比べて低目付けで形成されている該吸収層中央部の周囲の吸収部とからなり、
該吸収性物品の肌当接面側には、圧搾条溝が、少なくとも幅方向左側及び幅方向右側の側縁に沿って、該吸収層中央部を囲むように設けられ、該圧搾条溝は、長手方向中心線付近に間欠部分を有し、
該吸収体の肌非当接面側には、幅方向左側及び幅方向右側の側縁に沿って設けられた各圧搾条溝の少なくとも一部の圧搾条溝の側部に、吸収体と液不透過性シートとの間で形成される肌当接面側に略凸状の空間部を有する、前記吸収性物品を提供する。
（２）本発明は、前記間欠部分が長手方向後側に形成されている、（１）に記載の吸収性物品を提供する。
（３）本発明は、前記間欠部分が長手方向前側に更に形成されている、（２）に記載の吸収性物品を提供する。
（４）本発明は、前記空間部が、幅方向左側及び幅方向右側の側縁に沿って設けられた各圧搾条溝の少なくとも一部の圧搾条溝の両側部に形成されている、（１）〜（３）のいずれか１に記載の吸収性物品を提供する。
（５）本発明は、前記空間部が、幅方向左側及び幅方向右側の側縁に沿って設けられた各圧搾条溝の両端部にまで形成されている、（１）〜（４）のいずれか１に記載の吸収性物品を提供する。
【発明の効果】
【０００９】
本発明の吸収性物品によれば、長手方向中心線近くに設けられた間欠部分により、間欠部分を基点として吸収層中央部が着用者の身体の方に向かって隆起するため、ヨレの発生を防ぐことができる。
また、吸収体の肌非当接面側には圧搾条溝の側部に空間部を設けることにより、吸収体の肌非当接面又は肌非当接面よりも内側に設けられた突出部が、吸収性物品の装着状態に応じて、該空間部に押し込まれるように移動し、肌非当接面側から吸収層中央部を押し上げるため、吸収性物品を着用者の排泄部に常に安定的に密着させ、排泄物の漏れを防ぐことができる。
【発明を実施するための最良の形態】
【００１０】
本発明を、以下、図面を用いて説明するが、本発明は図面に示されたものに限定されるものではない。
図１は、本発明の代表的な吸収性物品１の平面図であり、図２は、図１のＡ−Ａ’断面図であり、図３は、図２の丸で囲んだ領域の拡大図であり、図４〜７は、本発明の吸収性物品１の実施態様の平面図であり、図８は、図１の吸収性物品の空間部１０の領域の一態様を肌非当接面側から示す平面図である。
なお、これらの図に示す本発明の吸収性物品１には、長手方向の両側縁から延出する一対のウィング部が備えられているが、該ウィング部はなくてもよい。
【００１１】
本発明の吸収性物品１は、少なくとも、液透過性シート５、液不透過性シート６、及び吸収体７から構成されている。吸収体７は、通常、台紙１２と一体化され、一体化された吸収体は、液透過性シート５と液不透過性シート６との間に挟まれている。吸収体７は、吸収層中央部２とその周囲の吸収部８とから構成されており、周囲吸収部８は、吸収層中央部２よりも低目付けで形成されている。吸収体の用途等によって異なるが、吸収層中央部２の目付けは、一般に、２００〜１２００ｇ/ｍ2であり、周囲吸収部８の目付けは、１００〜４００ｇ/ｍ2である。吸収体７は、必ずしも一つの吸収層で構成されている必要はなく、下層吸収部と上層の突設部のように分かれていてもよい。
【００１２】
図１に示すように、本発明の吸収性物品１には、平面視して、少なくとも幅方向左側の側縁及び幅方向右側の側縁に沿って、吸収層中央部２を囲むように圧搾条溝３が形成される（以下、それぞれ、「幅方向左側の側縁圧搾条溝」、「幅方向右側の側縁圧搾条溝」と言い、これらをまとめて「幅方向左右の側縁圧搾条溝」と言うことがある）。また、圧搾条溝３により液透過性シーと５と吸収体７とは接合されている。
【００１３】
圧搾条溝３の形状は、吸収層中央部２を囲むような形状であればよく、例えば、波状、線状、幅方向外側に凸状に湾曲した形状、幅方向内側に凸状に湾曲した形状等である。また、圧搾条溝３の形状は、図４〜７に示すように、吸収層中央部２を囲み、更に、長手方向前側及び長手方向後側において、長手方向外側に凸型となるような形状であってもよい。しかし、幅方向左右の側縁圧搾条溝３は、ぞれぞれの前後端部が吸収層中央部２に向かって延びている形状であることが好ましい。図１には、幅方向左右の側縁圧搾条溝３のぞれぞれの前後端部が吸収層中央部２に向かってやや湾曲している態様を示す。本明細書において、圧搾条溝の「端部」とは、幅方向左右の側縁圧搾条溝３のそれぞれの末端部分を意味する。このように、幅方向左右の側縁圧搾条溝の前後端部が吸収層中央部に向かって延びる形状をとることにより、仮に吸収層中央部において排泄物が幅方向に拡散し、圧搾条溝に到達しても、排泄物の流れを圧搾条溝に沿って吸収層中央部２に誘導し、吸収面を有効に使うことができるので、排泄物の漏れを抑えることができる。
【００１４】
圧搾条溝３の溝自体の形状は特に制限されず、例えば、圧搾条溝全面が一定の深さを有する凹部でもよいが、図３に示すように、最深部と低深部とからなる集合体から形成されていることが好ましい。このような形状をとることにより、最深部の密度と低深部の密度とが異なるために、効果的に排泄物を引き込むことができ、また剛性が高くなりすぎず、肌ざわりも悪くなりにくい。
【００１５】
圧搾条溝３で囲まれる吸収層中央部２の形状は特に制限されず、例えば、長方形、楕円形、円形、雫型、四角形、三角形等である。圧搾条溝３で囲まれる吸収層中央部２の寸法は、長手方向が約４０ｍｍ以上であることが好ましく、約６０ｍｍ〜約１２０ｍｍの範囲であることがより好ましい。幅方向は、約１０ｍｍ以上であることが好ましく、約２５ｍｍ〜約５０ｍｍの範囲であることがより好ましい。圧搾条溝３で囲まれる吸収層中央部２の位置関係は、通常、圧搾条溝３で囲まれる吸収層中央部２の長手方向前端部が、吸収体７の長手方向前端部から少なくとも１０ｍｍ後方にあり、圧搾条溝３で囲まれる吸収層中央部２の長手方向後端部が、吸収体７の長手方向後端部から少なくとも１０ｍｍ前方にある。
【００１６】
圧搾条溝３は、長手方向中心線付近に吸収体が圧搾されていない間欠部分４を有する。圧搾条溝と間欠部分との剛性差により、着用時に吸収体幅方向外側から力が加えられた時に間欠部分が柔軟に曲がるため、吸収層中央部及び幅方向に設けられた圧搾条溝は、着用者の身体の方に向かって隆起する。また、間欠部分が長手方向中心線付近に設けられているため、必ずその間欠部分を基点として、吸収層中央部及び幅方向に設けられた圧搾条溝は、着用者の身体（臀部の溝）の方に向かって隆起し、長手方向中心線上以外の位置で隆起することがない。そのため、ヨレの発生を防ぐことができる。
【００１７】
間欠部分４は、長手方向の前側又は後側のいずれか一方に設けられても、あるいはその両方に設けられてもよいが、少なくとも長手方向後側に設けられることがより好ましい。これは、吸収性物品の装着時に着用者の身体と吸収性物品との間に隙間が生じ易いため、より吸収層中央部を身体にフィットさせ易くするためである。図１には、間欠部分が長手方向の前後両側に設けられている態様を示す。
【００１８】
間欠部分の長さは、通常、約２ｍｍ〜約４０ｍｍの範囲であり、好ましくは約５ｍｍ〜約１５ｍｍの範囲である。間欠部分の長さが２ｍｍ未満では、低剛性部分が形成されず、身体の動きに追従しにくくなるため、好ましくない。また、４０ｍｍを超えると、防漏性が低下するだけでなく、吸収層中央部の動きが大きくなることによりヨレが大きくなり、好ましくない。
【００１９】
圧搾条溝３は、肌非当接面側に突出部９を形成する。突出部９は、通常、吸収性物品の非装着状態では、厚さ方向で肌当接面と同じ位置又は肌当接面よりも内側の位置にあり、装着状態で突出部９が肌非当接面から肌非当接面側に突出するように形成されているが、非装着状態において突出部９が既に肌非当接面から肌非当接面側に突出するように形成されていることが好ましい。
【００２０】
幅方向左右の側縁圧搾条溝３のそれぞれの少なくとも一部の側部には、断面視した時に、突出部９をほぼ挟むように、台紙１２と液不透過性シート６との間に、肌当接面側に向かって略凸状をなす空間部１０が形成される。本明細書において「側部」とは、幅方向左右の側縁圧搾条溝３のそれぞれの側縁部を含む、各圧搾条溝の近傍領域を意味する。空間部１０は、着用者の大腿部から圧縮力が加えられた場合に、突出部９は幅方向内側に変形移動するが、この変形移動した突出部９を押し込む部分である。押し込まれるように移動した突出部９は、吸収層中央部２の肌非当接面側から吸収層中央部２を押し上げ、これによって吸収層中央部２は肌当接面側に突出するように変形し、着用者の排泄部に密着する（「噛み込み効果」）。
図２、及び図２の丸で囲んだ領域を拡大して示す図３には、非装着状態で、突出部９が肌非当接面から肌非当接面側に突出している態様を示す。
【００２１】
突出部９は、突出部９が装着状態において肌非当接面から肌非当接面側に突出する場合、あるいは突出部９が非装着状態で既に肌非当接面から肌非当接面側に突出するように形成されている場合には、その突出度は、圧搾条溝３の底部が、吸収層中央部２の肌非当接面よりも肌非当接面側に約０．５ｍｍ〜約１０ｍｍの範囲で突出する程度である。すなわち、圧搾条溝３の底部と吸収層中央部２の肌非当接面との厚さ方向における高さの差が、約０．５ｍｍ〜約１０ｍｍの範囲となるように突出する。この差は、好ましくは、約１ｍｍである。この差が約０．５ｍｍ〜約１０ｍｍの範囲内にあれば、空間部１０に突出部９が入り込みやすくなる。
【００２２】
空間部１０の頂部は、吸収層中央部２の肌非当接面よりも約０．５ｍｍ〜約１０ｍｍの範囲で、肌当接面側に設けられるように形成される。すなわち、圧搾条溝３の底部と空間部１０の頂部との吸収体７の厚さ方向における高さの差が約０．５ｍｍ〜約１０ｍｍの範囲となるように形成される。好ましくは、この差は、約２ｍｍである。この差が、約０．５ｍｍ〜約１０ｍｍの範囲であれば、空間部１０に突出部９がより入り込み易くなるためである。
【００２３】
空間部１０は、例えば図８に示すように、幅方向左右の側縁圧搾条溝３のそれぞれ少なくとも一部に設けられていればよく、その領域は特に限定されない。しかし、少なくとも脚部の側圧がかかる箇所には、空間部１０が形成されている必要があるため、吸収性物品が生理用ナプキンである場合には、空間部１０は、少なくとも膣口に当接する領域に形成されていることが好ましい。この場合の空間部１０の長手方向の長さは、少なくとも１５ｍｍ以上である。１５ｍｍ未満では、「噛み込み効果」が得られにくい。本発明の吸収性物品では、排泄物の流れを吸収層中央部に誘導することができる点から、空間部１０は、幅方向左右の側縁圧搾条溝３のそれぞれの両端部にまで形成されていることが好ましい（非図示）。
【００２４】
空間部１０は、幅方向左右の側縁圧搾条溝３のそれぞれ少なくとも一部に設けられるが、必ずしも該圧搾条溝の両側部に設けられる必要はない。
例えば、各圧搾条溝３の側部の一方のみ、すなわち、幅方向左側の側縁圧搾条溝３と幅方向右側の側縁圧搾条溝３との間であって、幅方向左側の側縁圧搾条溝３の一方の側部と、幅方向右側の側縁圧搾条溝３の一方の側部とに、空間部１０が一対となるように形成されていてもよい。これにより、装着時に側方から力を受けた時に、空間部１０を基点として吸収層中央部２が着用者側に持ち上げられ、一方で突出部９は幅方向内側に変形移動して吸収層中央部２を押し上げ隆起させるので、吸収層中央部２が身体にフィットしやすくなる。この場合、一対の空間部１０は、長手方向中心線よりも、圧搾条溝３の側に近い位置に配置されることが好ましい。これにより、安定した変形形態を確保することが可能となる。
【００２５】
好ましくは、空間部１０は、各圧搾条溝３の両側部に設けられる。これは、側圧が加えられた場合に、突出部がほぼ平行に吸収層中央部側に移動することになるので、圧搾条溝から吸収層中央部へ一定の方向から力を伝えやすくなり、吸収層中央部の形状を左右対称な山型に保つことができるからである。また、圧搾条溝の非吸収層中央部側の側部にも空間部が設けられることにより、圧搾条溝よりも外側の吸収体部分を該空間部が確実に押し上げるため、排泄物を確実に圧搾条溝でせき止めることができるからである。このように、両側部での空間部の形成は、一方の側部での空間部の形成に比べて、更に安定した変形形態を確保することが可能となり、肌への密着性を向上させることができる。図３には、空間部１０が突出部９を挟むようにその両側部に設けられている態様を示す。
【００２６】
圧搾条溝３は、後述するエンボス加工装置の噛み合わせによって形成される一対の壁部１１を備える（図２、３）。壁部１１は、例えば、液透過性シート５及び吸収体７を吸収性物品１の厚さ方向に圧搾するときに、吸収性物品１の厚さ方向の略中央部において引張応力が強く生じ、この引張応力により吸収体７が引き伸ばされて形成される。吸収体７が引き伸ばされることによって形成された壁部１１の密度は、その略中央部では低い。この低密度部分は、吸収層中央部２が排泄物を吸収したときに、高密度部分から伝わる排泄物の拡散を抑制することができる。
【００２７】
図４〜７に、本発明の吸収性物品１の実施態様（それぞれ、第１、２、３、４の実施態様）を示す。第１〜４の実施態様では、図１に示す圧搾条溝３に加えて、吸収性物品１の肌当接面側の長手方向前側及び長手方向後側に、長手方向外側に凸型の圧搾条溝が設けられる。第１〜４の実施態様においても、すべての圧搾条溝は、図１に示した態様と同様に長手方向中心線を基点として対称となるように設けられる。
【００２８】
第１の実施態様では、図４に示すように、幅方向左側の側縁圧搾条溝３は、その圧搾条溝の略直線状部分が吸収層中央部２の方向に曲がる位置（湾曲位置）に更に圧搾条溝が連結され、この連結された圧搾条溝は長手方向外側に凸型を形成しながら、幅方向右側の側縁の圧搾条溝３の湾曲位置に連結される。このような凸型の圧搾条溝は、長手方向の前後両側に形成される。本実施態様では、圧搾条溝は吸収性体全体の周縁部に閉鎖形に形成される。
【００２９】
本実施態様では、吸収層中央部は間欠部分を基点に隆起しており、吸収層中央部の長手方向中心線を基点とする対称な変形を長手方向の前後側にもそのまま伝えることにより、ヨレの発生を防ぐことができる。圧搾条溝は、液透過性シートと吸収層中央部とを圧縮しているため、周囲吸収部よりも密度が高く、排泄物を引き寄せる力がある。そのため、仮に吸収層中央部から排泄物が漏れたとしても、該排泄物は、長手方向前側及び長手方向後側の圧搾条溝の方向へ誘導されることにより、吸収体の全面を効率的に利用して吸収性物品の外への排泄物の漏れを防ぐことができる。
【００３０】
第２の実施態様では、図５に示すように、圧搾条溝は、第１の実施態様とほぼ同様の閉鎖形を形成するが、幅方向左右の側縁圧搾条溝は、第１の態様と比べてやや長手方向の前側の位置に形成される。また、幅方向左右の側縁圧搾条の溝長手方向後側では、第１の態様において長手方向外側に凸型に形成された圧搾条溝との間に、長手方向外側に凸型の圧搾条溝が更に形成される。
【００３１】
第３の実施態様では、図６に示すように、第２の実施態様における閉鎖形の圧搾条溝が、幅方向左右の側縁圧搾条溝３の長手方向後端部の位置でそれぞれ分離される。すなわち、幅方向左右の側縁圧搾条溝３の長手方向後側に長手方向外側に凸型に形成された２本の圧搾条溝が、幅方向左側の側縁及び幅方向右側の側縁において、長手方向中心線上に間欠部分４を有する。
【００３２】
第４の実施態様では、図７に示すように、幅方向左右の側縁圧搾条溝３と、第１の態様において長手方向外側に凸型に形成された圧搾条溝との間に形成された長手方向外側に凸型の圧搾条溝が、長手方向中心線上において間欠部分４を有する。
【００３３】
第２〜４の実施態様では、幅方向左右の側縁圧搾条溝の長手方向後側に更に１以上の圧搾条溝が設けられているため、仮に吸収層中央部から排泄物が漏れたとしても、該排泄物を長手方向後側の圧搾条溝に誘導することがきる。更に、第４の実施態様では、吸収性物品の幅方向外側から力が加えられた時に、圧搾条溝と間欠部分との剛性差により吸収体が隆起しやすくなる。
【００３４】
以上の第１〜４の実施態様では、吸収層中央部の寸法、圧搾条溝の溝自体の形状、間欠部分の長さ、空間部の長さ、空間部の頂部と圧搾条溝の底部との位置関係、及び圧搾条溝と吸収層中央部の肌非当接面との厚さ方向における高さの差は、図１に示した本発明の代表的な吸収性物品の態様と同様である。
【００３５】
液透過性シートは、その全部又は一部が液透過性であり、液透過域は、多数の液透過孔が形成された樹脂フィルム、多数の網目を有するネット状シート、液透過性の不織布、又は織布などで形成される。前記樹脂フィルムやネット状シートは、ポリプロピレン、ポリエチレン、ポリエチレンテレフタレート等で形成されたものを使用できる。また不織布としては、レーヨン等のセルロース繊維、合成樹脂繊維などから形成されたスパンレース不織布、該合成樹脂繊維で形成されたエアスルー不織布などを用いることができる。また、多数の液透過孔を形成すると共に、シリコーン系やフッ素系の撥水性油剤を塗布して、その外面に体液が付着しにくいものとしてもよい。
上記繊維の径は１．１〜６．６ｄｔｅｘの範囲が好ましく、液透過性シートの目付けは１５〜１２０ｇ／ｍ２の範囲が好ましい。
【００３６】
本願発明の吸収性物品を構成する吸収体は、パルプ、化学パルプ、レーヨン、アセテート、天然コットン、高分子吸収体、繊維状高分子吸収体、合成繊維、発泡体等、又はこれらを混合したものからなり、型崩れし難く、化学的刺激が少ないものであることが好ましい。上記材料を積層し、シート材料（被覆材）で巻き込んだり、上下２層のシートで挟み込んだりして積層物を被覆、プレスし、吸収体を形成する。被覆材は、パルプ、化学パルプ、レーヨン、アセテート、天然コットン等のセルロース系繊維や、ポリエチレン、ポリプロピレン、ポリエチレンテレフタレート等の熱可塑性樹脂などが挙げられる。
吸収体が突設部を有する場合は、１層以上の吸収体に別の吸収体を配置したり、１層の吸収体内で部分的に目付を周辺よりも高くしたりすることによって、突設部を形成してもよい。
【００３７】
液不透過性シートは、体液を透過しない液難透過性である。厚さ１５〜６０μｍのポリエチレン、ポリプロピレン、ポリエチレンテレフタレート、ポリビニルアルコール、ポリ乳酸、ポリブチルサクシネート、不織布、紙及びこれらのラミネート材料が挙げられる。無機フィラーを充填させて延伸処理を施すことにより得られる通気性フィルムでもよい。具体的には、低密度ポリエチレン樹脂を主体として目付１５〜３０ｇ/ｍ２の範囲で調整したフィルムが挙げられる。
【００３８】
本発明の吸収性物品は、生理ナプキン、失禁パッド等して使用することができる。
【００３９】
本発明の吸収性物品の製造方法は、少なくとも、液透過性シート５と吸収体７とを重ね、吸収層中央部２を囲むように厚さ方向に圧搾するエンボス加工工程を含む。これにより、肌非当接面から肌非当接面側に突出する圧搾条溝３が形成される。詳細には、エンボス加工工程では、表面に所定のパターンに形成された凸部を有する上型ロール部と、表面に当該凸部が嵌合可能な凹部が形成された下型ロール部とからなるエンボス加工装置を用いて、嵌合するように配置された上型ロール部と下型ロール部との間に、液透過性シート５と吸収体７とを重ねた吸収性材料を、液透過性シート５が上型ロール部に接するように配置し、該吸収性材料を圧搾する。必要に応じて、液透過性シート５と吸収体７との間には、不織布又はエアレイドパルプをセカンドシートとして挿入してもよい。
【００４０】
液透過性シート５と吸収体７との間、又はセカンドシートと吸収体７との間には、接着層、例えばホットメルト樹脂又はホットメルト接着剤からなる層を設けてもよい。ホットメルト樹脂又はホットメルト接着剤からなる層を設ける場合には、エンボス加工は、熱エンボス加工であることが好ましい。このエンボス加工により、圧搾条溝を形成すると同時に、液透過性シート５と吸収体７とを一体化してもよい。
【００４１】
ウィング部を設ける場合には、例えば、ウィング部材を液透過性シート５と液不透過性シート６との間に挟んで接合してもよく、またウィング部材を配置することなく、液透過性シート５を幅方向に延出させてもよい。ウィング部材は、例えば、不織布やフィルムなどである。
【００４２】
最後に、吸収体７の肌非当接面側に液不透過性シート６を供給して、液透過性シート５と液不透過性シート６とを接合する。
【００４３】
上記実施形態においては、生理用ナプキンの製造方法を例に説明したが、本発明の製造方法は、他の吸収性物品、例えば失禁パッドの製造にも適用することができる。
【図面の簡単な説明】
【００４４】
【図１】図１は、本発明の代表的な吸収性物品の平面図である。
【図２】図２は、図１のＡ−Ａ’断面図である。
【図３】図３は、図２の丸で囲んだ領域の拡大図である。
【図４】図４は、本発明の吸収性物品の実施態様の平面図である。
【図５】図５は、本発明の吸収性物品の別の実施態様の平面図である。
【図６】図６は、本発明の吸収性物品の別の実施態様の平面図である。
【図７】図７は、本発明の吸収性物品の別の実施態様の平面図である。
【図８】図８は、図１の吸収性物品の空間部１０の領域の一態様を肌非当接面側から示す平面図である。
【符号の説明】
【００４５】
１    吸収性物品
２    吸収層中央部
３    圧搾条溝
４    間欠部分
５    液透過性シート
６    液不透過性シート
７    吸収体
８    周囲吸収部
９    突出部
１０    空間部
１１    壁部
１２    台紙
【図１】
0005258379.tif 000002
【図２】
0005258379.tif 000003
【図３】
0005258379.tif 000004
【図４】
0005258379.tif 000005
【図５】
0005258379.tif 000006
【図６】
0005258379.tif 000007
【図７】
0005258379.tif 000008
【図８】
0005258379.tif 000009